(57)【特許請求の範囲】
【請求項１】
把持棒の長手方向に沿って配列される固定ブラシに対して、該固定ブラシの摺動案内部で前記長手方向に沿って案内される摺動ブラシが伸展縮入されるブラシにおいて、
前記固定ブラシは、把持棒の一端部全長に対して、該一端部始端から所要長さに渡ってその下端にブラシを垂下配列し、該把持棒の前記始端と突端とにストッパーを配設し、その前記全長の左右には上下方向にアリホゾ状のレールからなる摺動案内部が配設されて成り前記摺動ブラシは、前記一端部全長より短尺な一対の摺動棒が上下方向のアリ溝を介して前記摺動案内部に案内され、その各下端にブラシを垂下配列し、両者の上面を接合体で接合し、該接合体の幅方向中央に回転頭部を有するネジ軸を垂直方向に貫通して螺設して成る、自動車用の雪かき具。
【請求項２】
把持棒の長手方向の下面に下向きに配列される固定ブラシと、該把持棒の長手方向の上面に形成される所要幅の溝に嵌入される展開棒と、該展開棒の上面に所要長さに渡って上向きに配列されるブラシとからなる展開ブラシと、該把持棒と展開棒との両先端部を前記両ブラシの植設される向きに直交して回転自在に締結する締結ネジとから成り、前記固定ブラシに対して、該把持棒の先端部で長手方向の延長線上に前記締結ネジを中心に１８０°回転される展開ブラシが伸展縮入自在に係着されて成る自動車用の雪かき具。
【請求項３】
把持棒の一端に、その軸心に対して直角に雪かきブラシを配設して成る自動車用の雪かき具において、
前記雪かきブラシが、固定ブラシと摺動ブラシとから成り、該摺動ブラシが固定ブラシに縦設される摺動案内部に沿って案内されるとともに、該把持棒の長手方向に摺動自在に案内される摺動手段と柔軟性を有して変形自在な支持バンドを介して連係されて成り、該摺動手段の前後進により固定ブラシに対して摺動ブラシが左右方向に伸展縮入されることを特徴とする自動車用の雪かき具。
【発明の詳細な説明】
【０００１】
【発明の属する技術分野】
本発明は、自動車の屋根上に積もる雪をかき落とす自動車用の雪かき具に関する。
【０００２】
【従来の技術】
従来から提供されている自動車用の雪かき具は、雪をかき落とすブラシが短く一定長であるため、多量の雪をかき落とすときは不便なものであった。また、屋根上の積雪が少量のときは、把持棒の長手方向に沿って配列するブラシで、該把持棒を左右に振って雪をかき落とすにはさほど労力を要することもないが、積雪が多くなると、ブラシを左右に振って除雪するには大変な労力となり、そのときには、把持棒を前後に操作して該把持棒の長手方向に対して直角方向に配列されるブラシで除雪するのが楽なものである。
【０００３】
【発明が解決しようとする課題】
本発明は上記従来技術に鑑みて、把持棒に配列されるブラシの向きを問わず、ブラシが該ブラシの配列方向に伸縮自在として、積雪の多いときは、一かきの除雪量を大にして能率的に雪かきできる自動車用の雪かき具を提供するものである。
【０００４】
【課題を解決するための手段】
すなわち、第１発明の自動車用の雪かき具は、把持棒の長手方向に沿って配列される固定ブラシに対して、該固定ブラシの摺動案内部で前記長手方向に沿って案内される摺動ブラシが伸展縮入されるブラシにおいて、
前記固定ブラシは、把持棒の一端部全長に対して、該一端部始端から所要長さに渡ってその下端にブラシを垂下配列し、該把持棒の前記始端と突端とにストッパーを配設し、その前記全長の左右には上下方向にアリホゾ状のレールからなる摺動案内部が配設されて成り前記摺動ブラシは、前記一端部全長より短尺な一対の摺動棒が上下方向のアリ溝を介して前記摺動案内部に案内され、その各下端にブラシを垂下配列し、両者の上面を接合体で接合し、該接合体の幅方向中央に回転頭部を有するネジ軸を垂直方向に貫通して螺設して成る。
また、第２発明の自動車用の雪かき具は、把持棒の長手方向の下面に下向きに配列される固定ブラシと、該把持棒の長手方向の上面に形成される所要幅の溝に嵌入される展開と、該展開棒の上面に所要長さに渡って上向きに配列されるブラシとからなる展開ブラシと、該把持棒と展開棒との両先端部を前記両ブラシの植設される向きに直交して回転自在に締結する締結ネジとから成り、前記固定ブラシに対して、該把持棒の先端部で長手方向の延長線上に前記締結ネジを中心に１８０°回転される展開ブラシが伸展縮入自在に係着されて成る。
また、第３発明の自動車用の雪かき具は、把持棒の一端に、その軸心に対して直角に雪かきブラシを配設して成る自動車用の雪かき具において、
前記雪かきブラシが、固定ブラシと摺動ブラシとから成り、該摺動ブラシが固定ブラシに縦設される摺動案内部に沿って案内されるとともに、該把持棒の長手方向に摺動自在に案内される摺動手段と柔軟性を有して変形自在な支持バンドを介して連係されて成り、該摺動手段の前後進により固定ブラシに対して摺動ブラシが左右方向に伸展縮入されることを特徴とする。
【０００５】
【発明の実施の形態】
雪かきブラシがブラシの配列方向に伸縮自在に配列されるとは、把持棒の長手方向に沿って配列される固定ブラシに対して、摺動案内部で前記長手方向に沿って案内される摺動ブラシが伸展縮入されるものから、前記固定ブラシに対して把持棒の先端部で長手方向の延長線上に１８０°回転される展開ブラシが伸展縮入されるもの、又は把持棒の先端で長手方向に対して直角方向に配列される固定ブラシに対して、摺動案内部で前記直角方向に沿って案内される摺動ブラシを、左右同時に、若しくは左右各別に、又は何れか一方に伸展縮入することである。
【０００６】
【実施例】
本発明を実施例により説明すると、図１の分図（ａ）に示すように、自動車用の雪かき具ａは、把持棒１の固定棒２の他端に氷かき取り部３を配設し、該固定棒２の一端で出入自在に案内される摺動棒４の一端に、その軸心に対して直角に雪かきブラシ５を配設して成る公知の自動車用の雪かき具において、雪かきブラシ５が、固定座６の下端にブラシ７を垂下配列した固定ブラシ８と摺動ブラシ９とから成り、該摺動ブラシ９は左右に分割されて固定ブラシ８の固定座６に縦設した上下のアリ溝１０に案内される一対の摺動座１１の下端にブラシ１２を垂下配列したものからなり、左右の摺動座１１には把持棒１側の垂直面に、垂直軸を中心とする嵌合孔を有する軸受け１３を上下に所要間隔で配設し、両軸受け１３にピン１４を嵌合するとともに、該ピン１４にそれぞれ柔軟性を有して変形自在な支持バンド１５の一端に一体の中空軸１６を遊嵌し、該支持バンド１５の他端を前記摺動棒４に摺動自在に案内される摺動手段としてのスライダー１７の各側面に固定し、該スライダー１７はその前進端で、すなわち前記各摺動座１１の最大伸展位置で、スライダー１７の前進方向につれて降下する後傾の傾斜面を有し、該摺動棒４内に出入するストッパー（図外）によりその後端が位置決めされるのである。
【０００７】
このようにして成る自動車用の雪かき具ａは、通常は分図（ａ）に示す状態で、把持棒１の固定棒２に対して摺動棒４を適宜に出入させてクランパー１８で固定し、握り部１９をしっかり握り、前後方向に動かして自動車の屋根上の雪を排除するものであるが、積雪の多いときは、分図（ｂ）に示すように、固定棒２に対して摺動棒４を適宜に位置決めした状態で、スライダー１７を前進させ、両摺動座１１の最大伸展位置で前記ストッパーにより前記スライダー１７の後退を阻止し、一度の押し出し或は引き入れによる排雪量を多くして除雪できるものである。
次に、図２の分図（ａ）に示す自動車用の雪かき具ｂについて説明すると、把持棒１の一端部である先端部の下端には手元側（一端部始端）から所要長さに渡ってブラシ２０を垂下配列し、その突端にストッパー２１を接合するとともに、前記手元側にストッパー５０を接合し、かつ、その左右全長に上下のアリ溝２２に嵌入するアリホゾ状のレール２３を接合して固定ブラシを形成し、各レール２３には分図（ｂ）に示すように、前記アリ溝２２において嵌入し、長さが前記一端部全長の長さより短尺な摺動棒２４をそれぞれ摺動自在に案内するとともに、その各下端に前記ブラシ２０の配列長さと同長のブラシ２５を垂下配列し、両者を接合体２６で接合し、該接合体２６の幅方向中央に回転頭部２７を有するネジ軸２８を垂直方向に貫通螺設して摺動ブラシを形成し、該摺動ブラシの両摺動棒２４の後退端をストッパー５０で位置決めして成る。
【０００８】
このようにして成る自動車用の雪かき具ｂは、屋根上の積雪が多いときでは、両摺動棒２４を把持棒１の突端方向へ移動し、図２の分図（ａ）の仮想線に示す状態で、把持棒１の長手方向に沿うブラシの配列長さを最大伸長にして、該把持棒１を左右に振って自動車の屋根上の積雪を除雪するものであり、ブラシの配列長さを最小縮入状態にするには、ネジ軸２８の回転頭部２７を回して該ネジ軸２８を弛め、軸端を把持棒１の頂部から離脱させ、接合体２６を握ったり、両摺動棒２４を握るなどで後方のストッパー５０に当接するまで後退させ、分図（ａ）の実線で示すように、左右の摺動棒２４のブラシ２５を把持棒１のブラシ２０に並列させ、ネジ軸２８を把持棒１に締め付けてその位置で把持棒１に対して両摺動棒２４を固定すると、固定ブラシに対して摺動ブラシが固定されるものである。
また、図３の分図（ａ）に示した自動車用の雪かき具ｃについて説明すると、このものは、把持棒１の先端部を所要長さに渡って中央に所要幅の溝２９を欠切し、該溝２９によって左右に分割された各円弧片３０の下端には分図（ｂ）に示すように、長手方向に沿ってブラシ３１を垂下配列し、前記溝２９には前記円弧片３０の先端部で締結ネジ３２に回転自在に締結される展開棒３３を嵌入し、かつ、円弧片３０の下部でその前端より所要長突出した支持座３４を前記溝２９の内部に固定して固定ブラシが形成され、前記展開棒３３の上面には所要長さに渡って上向きにブラシ３５を植設して展開ブラシが形成されて成る。
【０００９】
このようにして成る自動車用の雪かき具ｃは、ブラシの配列長さを最大伸長するときは、締結ネジ３２を弛め、展開ブラシの展開棒３３を矢印方向へ回転し、その上面を支持座３４に着座させた状態で前記締結ネジ３２を締結すれば、その分ブラシの配列長さを伸長できるのである。
このほか、分図（ｃ）に示すように、把持棒１の上部から所要長さに渡って凹溝３６を掘設し、該凹溝３６に展開棒３３を遊嵌し、前記と同様に把持棒１の先端部で両側に渡って螺設した締結ネジ３２に展開棒３３を回転自在に遊嵌し、把持棒１の左右下端又は図外の中央下端にブラシ３１を所要長さに渡って垂下配列して固定ブラシが形成され、前記展開棒３３の上面に所要長さに渡ってブラシ３５を植設して展開ブラシが形成される自動車用の雪かき具ｃなども提案できるのである。
【００１０】
【発明の効果】
以上のように本発明によれば、把持棒に配列されるブラシの向きを問わず、ブラシがその配列方向に伸縮自在として、自動車の屋根上の積雪の多少に対応し、能率的に雪かきができる効果を奏する。
【図面の簡単な説明】
【図１】本発明に係る自動車用の雪かき具ａの説明図で、（ａ）はその斜視図。（ｂ）は摺動ブラシ９を伸長したときの伸長状態図。
【図２】本発明に係る自動車用の雪かき具ｂの説明図で、（ａ）はその一部を破断した要部説明図。（ｂ）は分図（ａ）のＡ−Ａ矢視断面図。
【図３】本発門に係る自動車用の雪かき具ｃの説明図で、（ａ）はその一部を破断した要部説明図。（ｂ）は分図（ａ）のＡ−Ａ矢視図。（ｃ）は展開棒３３の把持棒１に対する接合の他の実施態様を示す説明図。
【符号の説明】
１  把持棒
２  固定棒
３  氷かき取り部
４  摺動棒
５  雪かきブラシ
６  固定座
７  ブラシ
８  固定ブラシ
９  摺動ブラシ
１０  アリ溝
１１  摺動座
１２  ブラシ
１３  軸受け
１４  ピン
１５  支持バンド
１６  中空軸
１７  スライダー
１８  クランパー
１９  握り部
２０  ブラシ
２１  ストッパー
２２  アリ溝
２３  レール
２４  摺動棒
２５  ブラシ
２６  接合体
２７  回転頭部
２８  ネジ軸
２９  溝
３０  円弧片
３１  ブラシ
３２  締結ネジ
３３  展開棒
３４  支持座
３５  ブラシ
３６  凹溝
ａ乃至ｃ  自動車用の雪かき具
【図１】
0004888623.tif 000002
【図２】
0004888623.tif 000003
【図３】
0004888623.tif 000004